(57)【要約】【課題】養生材の使い勝手を適切に向上させる。【解決手段】帯状をなす段ボール又は板紙よりなり、その両端部をそれぞれ養生対象Ｍに裏面Ｃｂが貼着される貼着部１とし、この二箇所の貼着部１、１間を蛇腹折り部２としている。前記段ボール又は板紙を二分するその長さ方向に沿った仮想の直線ｘに沿って、前記蛇腹折り部２における山部２ａにはその頂から麓に亙る切目２ｂが形成されると共に、前記蛇腹折り部２における谷部２ｄ及び前記貼着部１には折り筋６が形成されている。【選択図】図４
2012251393.tif 000002
【特許請求の範囲】
【請求項１】
帯状をなす段ボール又は板紙よりなり、
その両端部をそれぞれ養生対象に裏面が貼着される貼着部とし、
この二箇所の貼着部間を蛇腹折り部とし、
前記段ボール又は板紙を二分するその長さ方向に沿った仮想の直線に沿って、前記蛇腹折り部における山部にはその頂から麓に亙る切目が形成されると共に、前記蛇腹折り部における谷部及び前記貼着部には折り筋が形成されていることを特徴とする養生材。
【請求項２】
帯状をなす段ボールよりなると共に、その長さ方向にこの段ボールを構成する中しんの段が沿うようにしてあることを特徴とする請求項１に記載の養生材。
【請求項３】
二箇所の貼着部の一方には、蛇腹折り部の一方縁部に沿った仮想の第一直線に沿った折り筋を介してこの一方の貼着部に連接された第一延長片と、蛇腹折り部の他方縁部に沿った仮想の第二直線に沿った折り筋を介してこの一方の貼着部に連接された第二延長片とが備えられており、
蛇腹折り部を畳んで二箇所の貼着部を近接させた状態において、前記折り筋で折られた第一延長片及び第二延長片の先端部を他方の貼着部に掛合させて、この第一延長片及び第二延長片と二箇所の貼着部とにより畳んだ蛇腹折り部の保持枠体が構成されるようになっていることを特徴とする請求項１又は請求項２に記載の養生材。
【発明の詳細な説明】
【技術分野】
【０００１】
この発明は、養生対象の角部や縁部を保護するために用いられる養生材の改良に関する。
【背景技術】
【０００２】
リフォーム工事や引っ越し作業などにあたっては、建物や家具などの角部や縁部を養生材で覆う養生処理が必要に応じて必要な箇所に対してなされる。こうした養生処理は、典型的には、一定の長さを備えた発泡プラスチック製のマット状体を前記角部や縁部に沿って粘着テープを利用して貼り付けることでなされている。こうしたマット体は必要な長さに切断することを余儀なくされる場合があると共に、かさばるため運搬、保管、携行に難がある。
【発明の概要】
【発明が解決しようとする課題】
【０００３】
この発明が解決しようとする主たる問題点は、この種の養生材の使い勝手を適切に向上させる点にある。
【課題を解決するための手段】
【０００４】
前記課題を達成するために、この発明にあっては、養生材を、帯状をなす段ボール又は板紙よりなり、
その両端部をそれぞれ養生対象に裏面が貼着される貼着部とし、
この二箇所の貼着部間を蛇腹折り部とし、
前記段ボール又は板紙を二分するその長さ方向に沿った仮想の直線に沿って、前記蛇腹折り部における山部にはその頂から麓に亙る切目が形成されると共に、前記蛇腹折り部における谷部及び前記貼着部には折り筋が形成されているものとした。
【０００５】
かかる養生材は、前記切目及び折り筋において、その裏面を屈曲内側とするように二つ折りにすることができる。そして、この二つ折りにした養生材を、折った箇所を建物や家具などの養生対象の角部や縁部に位置させると共に、折った箇所を挟んだ一方の側の裏面がこの角部や縁部を構成する一方の面に添装され、且つ、折った箇所を挟んだ他方の側の裏面がこの角部や縁部を構成する他方の面に添装されるように、前記貼着部をもって養生対象の角部や縁部に沿って貼り付けることができる。かかる貼り付けにより、前記角部や縁部を挟んだ両側に前記折りにより分割された山部がそれぞれ位置されることとなり、これにより前記角部や縁部を保護することができる。すなわち、かかる山部を前記角部や縁部に対する衝突物に対するクッションとして機能させることができる。蛇腹折り部は、縮めることも引き延ばすこともできることから、これを縮めておけば携行などがし易く、また、保護すべき前記角部や縁部の長さに養生材の長さを養生材を切断などすることなく合わせて前記貼り付けをなすことができる。
【０００６】
かかる養生材を、帯状をなす段ボールより構成すると共に、その長さ方向にこの段ボールを構成する中しんの段が沿うようにしておけば、前記の引き延ばし方向での養生材の剛性を高めることができる。
【０００７】
また、前記二箇所の貼着部の一方に、蛇腹折り部の一方縁部に沿った仮想の第一直線に沿った折り筋を介してこの一方の貼着部に連接された第一延長片と、蛇腹折り部の他方縁部に沿った仮想の第二直線に沿った折り筋を介してこの一方の貼着部に連接された第二延長片とを備えさせ、蛇腹折り部を畳んで二箇所の貼着部を近接させた状態において、前記折り筋で折られた第一延長片及び第二延長片の先端部を他方の貼着部に掛合させて、この第一延長片及び第二延長片と二箇所の貼着部とにより畳んだ蛇腹折り部の保持枠体が構成されるようにしておくこともある。このようにした場合、養生材が蛇腹折り部を畳んでコンパクトになった状態を前記掛合により作り出される保持枠体により維持することができ、養生材の携行や保管が一層容易となる。
【発明の効果】
【０００８】
この発明にかかる養生材は、養生対象への貼着時にはその角部や縁部をしっかりと保護でき、また、切断などを施すことなく養生対象に合わせた長さに調整でき、一方、蛇腹折り部を縮めることで携行なども容易であり、しかも、紙製であるので廃棄時の環境負荷も少ない特長を有している。
【図面の簡単な説明】
【０００９】
【図１】図１は実施の形態にかかる養生材の斜視図である。
【図２】図２は図１の状態から蛇腹折り部をやや折り畳んだ状態を示した斜視図である。
【図３】図３は折り畳んだ蛇腹折り部を、第一及び第二延長片を介して組み合わせた二箇所の貼着部によって保持させた状態を示した斜視図である。
【図４】図４は養生対象の隅部に実施の形態にかかる養生材を貼り込んだ様子を示した斜視図である。
【図５】図５は図４の状態の平面図である。
【図６】図６は図４の状態の断面図である。
【図７】図７は養生対象の縁部を構成する一方の面と他方の面とがなす角度が図４の場合よりも大きい場合の養生材の貼り込み状態を示した断面図である。
【図８】図８は実施の形態にかかる養生材を平した状態での表面図である。
【図９】図９は実施の形態にかかる養生材を平した状態での裏面図である。
【発明を実施するための形態】
【００１０】
以下、図１〜図９に基づいて、この発明の典型的な実施の形態について、説明する。この実施の形態にかかる養生材Ｃは、帯状をなす段ボール又は板紙から構成され、養生対象Ｍの角部や縁部Ｍａを保護するようにこの養生対象Ｍに貼り付け用いるのに適したものである。典型的には、かかる養生材Ｃは、リフォーム工事や引っ越し作業などにあたり、建物や家具などの前記角部や縁部Ｍａを保護するために用いられる。より具体的には、かかる養生材Ｃは、柱の角部や壁の出隅の角部、腰壁の天端面の縁部やカウンターの縁部など保護するために用いられる。前者の場合には養生材Ｃは養生対象Ｍに縦方向にその長さ方向を沿わせるようにして貼り付けられ、後者の場合には養生材Ｃは養生対象Ｍに横方向にその長さ方向を沿わせるようにして貼り付けられる。
【００１１】
かかる養生材Ｃは、その両端部をそれぞれ養生対象Ｍに裏面Ｃｂが貼着される貼着部１とすると共に、この二箇所の貼着部１、１間を蛇腹折り部２としている。
【００１２】
図示の例では、蛇腹折り部２は、帯状をなす段ボール３に、その幅方向に沿った山折り筋４をその長さ方向において隣り合う山折り筋４、４との間に略等しい間隔を開けて複数設けると共に、隣り合う山折り筋４、４の中間位置に前記幅方向に沿った二条の谷折り筋５、５を両者の間に間隔を開けて形成させ、かかる段ボール３にかかる各山折り筋４と各谷折り筋５での折りを施すことで構成されている。図示の例では、養生材Ｃの表面Ｃａ側において、山折り筋４の一部に沿って、前記段ボール３にハーフカット４ａが施されている。
【００１３】
図示の例では、図８において左側に位置される貼着部１は谷折り筋５を介して蛇腹折り部２の左端の山部２ａの麓となる箇所に連接され、右側に位置される貼着部１は谷折り筋５を介して蛇腹折り部２の右端の山部２ａの麓となる箇所に連接されている。二箇所の貼着部１、１の幅と蛇腹折り部２の幅とは等しくなっている。二箇所の貼着部１、１の裏面Ｃｂを養生対象Ｍに貼着すると、この貼着部１の裏面Ｃｂと前記二条の谷折り筋５、５間に形成される谷部２ｄの裏面Ｃｂとは同面上に位置されるようになっている。
【００１４】
また、前記段ボール３を二分するその長さ方向に沿った仮想の直線ｘに沿って、前記蛇腹折り部２における山部２ａにはその頂から麓に亙る切目２ｂが形成されている。図示の例では、かかる仮想の直線ｘは、蛇腹折り部２及び二箇所の貼着部１、１の幅方向略中程の位置を通る直線である。
【００１５】
具体的には、前記蛇腹折り部２における各山部２ａにはそれぞれ、その頂を挟んだ一方の麓、つまり、この一方の側にある前記谷折り筋５の形成位置から、その頂を挟んだ他方の麓、つまり、この他方の側にある前記谷折り筋５の形成位置までの間にわたって、前記切目２ｂが形成されている。従って、前記谷部２ｄは隣り合う前記切目２ｂ、２ｂのつなぎ目として機能する。図示の例では、この切目２ｂの両端にはＵ字状の切目２ｃがさらに形成され、谷部２ｄの破断を防止している。（図８、図９）
【００１６】
また、前記仮想の直線ｘに沿って、前記蛇腹折り部２における谷部２ｄ及び前記貼着部１には折り筋６が形成されている。図示の例では、養生材Ｃの表面Ｃａ側において、貼着部１の折り筋６の一部にはハーフカット６ａが施されている。
【００１７】
これにより、この実施の形態にあっては、前記切目２ｂ及び折り筋において養生材Ｃをその裏面Ｃｂを屈曲内側とするように二つ折りにすることができる。そして、この二つ折りにした養生材Ｃを、折った箇所を建物や家具などの養生対象Ｍの角部や縁部Ｍａに位置させると共に、折った箇所を挟んだ一方の側の裏面Ｃｂがこの角部や縁部Ｍａを構成する一方の面Ｍｂに添装され、且つ、折った箇所を挟んだ他方の側の裏面Ｃｂがこの角部や縁部Ｍａを構成する他方の面Ｍｃに添装されるように、前記貼着部１をもって養生対象Ｍの角部や縁部Ｍａに沿って貼り付けることができる。かかる貼り付けにより、前記角部や縁部Ｍａを挟んだ両側に前記折りにより分割された山部２ａがそれぞれ位置されることとなり、（図４）これにより前記角部や縁部Ｍａを保護することができる。すなわち、かかる山部２ａを前記角部や縁部Ｍａに対する衝突物に対するクッションとして機能させることができる。蛇腹折り部２は、縮めることも引き延ばすこともできることから、これを縮めておけば携行などがし易く、また、保護すべき前記角部や縁部Ｍａの長さに養生材Ｃの長さを養生材Ｃを切断などすることなく合わせて前記貼り付けをなすことができる。
【００１８】
また、図示の例では、かかる養生材Ｃを、帯状をなす段ボール３より構成させると共に、その長さ方向にこの段ボール３を構成する中しん３ａの段３ｂが沿うようにしている。（図１）このようにしておけば、前記の引き延ばし方向での養生材Ｃの剛性を高めることができる。すなわち、図示の例では、養生材Ｃの長さ方向と中しん３ａの段３ｂ間に形成される溝３ｃの長さ方向とが一致する。
【００１９】
また、図示の例では、二箇所の貼着部１、１の一方（図示の例では図８において左側に位置される貼着部１）には、蛇腹折り部２の一方縁部に沿った仮想の第一直線ｙに沿った折り筋７ａを介してこの一方の貼着部１に連接された第一延長片７と、蛇腹折り部２の他方縁部に沿った仮想の第二直線ｙ’に沿った折り筋８ａを介してこの一方の貼着部１に連接された第二延長片８とが備えられている。
【００２０】
そして、この実施の形態にあっては、蛇腹折り部２を畳んで二箇所の貼着部１、１を近接させた状態において、前記折り筋７ａ、８ａで折られた第一延長片７及び第二延長片８の先端部を他方の貼着部１に掛合させて、この第一延長片７及び第二延長片８と左右の貼着部１とにより畳んだ蛇腹折り部２の保持枠体１０が構成されるようになっている。（図３）
【００２１】
図示の例では、第一延長片７及び第二延長片８は、二箇所の貼着部１、１の一方と同じ幅を備えている。第一延長片７及び第二延長片８はそれぞれ、前記折り筋７ａ、８ａに平行をなす先端縁７ｂ、８ｂを有すると共に、この先端縁７ｂ、８ｂの中央から突き出す舌片７ｃ、８ｃを備えている。一方、二箇所の貼着部１、１の他方には、前記第一直線ｙ及び第二直線ｙ’上に位置される箇所にそれぞれ、前記舌片７ｃ、８ｃを差し込むことができるスリット１ａが形成されている。図示の例では、蛇腹折り部２を折りたたむと共に、二箇所の貼着部１、１がその表面Ｃａを向き合わせるようにした状態から、（図２）第一延長片７と第二延長片８を前記のように折り、それぞれの舌片７ｃ、８ｃを対応する前記スリット１ａに差し込むことで前記掛合状態を作り出し、前記保持枠体１０を形成するようになっている。（図３）
【００２２】
これにより、この実施の形態にあっては、養生材Ｃが蛇腹折り部２を畳んでコンパクトになった状態を前記掛合により作り出される保持枠体１０により維持することができ、養生材Ｃの携行や保管がなし易くなっている。
【００２３】
図示の例では、貼着部１は、その裏面Ｃｂに剥離紙（図示は省略する。）で粘着面を覆われた粘着テープ９を備えており、この粘着テープ９をもって養生対象Ｍに貼着されるようになっている。
【００２４】
また、図示の例では、二箇所の貼着部１、１の一方の第一延長片７及び第二延長片８の基部にはそれぞれ、前記折り筋７ａ、８ａとの間で補助舌片７ｄ、８ｄを形成するＵ字状の切目７ｅ、８ｅが形成されている。そして、この補助舌片８ｄを別の養生材Ｃの前記スリット１ａに差し込むことで、この別の養生材Ｃの二箇所の貼着部１、１の他方に前記一方の貼着部１を連結させることもできるようになっている。
【符号の説明】
【００２５】
Ｍ  養生対象
Ｃｂ  裏面
１  貼着部
２  蛇腹折り部
２ａ  山部
２ｂ  切目
２ｄ  谷部
６  折り筋
ｘ  仮想の直線
【図１】
2012251393.tif 000003
【図２】
2012251393.tif 000004
【図３】
2012251393.tif 000005
【図４】
2012251393.tif 000006
【図５】
2012251393.tif 000007
【図６】
2012251393.tif 000008
【図７】
2012251393.tif 000009
【図８】
2012251393.tif 000010
【図９】
2012251393.tif 000011